(57)【特許請求の範囲】
【請求項１】
ほぼ一定高さの複数の支持体を連接してベースを構成するとともに、該ベース上に床面を構成するパネルを載置して、前記ベースと前記パネルとの間を配線用空間とした二重床において、
前記パネルは方形に形成されているとともに、いずれか一方の対角線上に沿ってスリット孔が形成され、前記対角線を中心に屈曲可能になっており、前記支持体は、常時前記パネル裏面の四隅を支持する第１支持体と、該第１支持体間に設けられ、前記パネルの中央部及び周辺部を支持する複数の第２支持体とから構成され、この第２支持体の高さが、予め前記第１支持体の高さよりもわずかに低く形成されていることを特徴とする二重床。
【発明の詳細な説明】
【０００１】
【発明の属する技術分野】
本発明は、建築物の床面上に、電話線やコンピュータのケーブル類等を配線、収納する空間が形成された二重床に関する。
【０００２】
【従来の技術】
従来、オフィス内の床下配線を実現するために、建築物の床面上に電話線やコンピュータのケーブル類を収納、配線する空間が形成された二重床が多く採用されている。このような二重床の施工方法としては、例えば複数の支持体が連接された方形のベースを建築物の床面上に敷き並べ、これらのベースの支持体上にパネルを敷設した後、該パネル上にカーペット等の化粧床材等を敷設する方法等が知られている。
【０００３】
【発明が解決しようとする課題】
しかしながら、このようにパネルの裏面が複数の支持体により同時に支持される構造であると、特にベースが不陸な建築物の床面上に敷設されている場合、いずれかの支持体の上部が他の支持体の上部に比べて突出することがあり、床面にがたつきが生じやすかった。
【０００４】
また、パネルを支持する支持体の数を減らすと、パネルの支持部が減少して支持強度が低下するため、パネルを肉厚に形成したり、剛性の高い素材等を使用するなどして、予めパネル自体に上方からの荷重に耐えうる強度を持たせる必要があり、このような場合パネルが重くなり運搬が困難になったり、製造コストが高くなるいった問題があった。
【０００５】
本発明は、このような問題点に着目してなされたもので、床面を構成するパネルを、がたつきが少なく、かつ支持強度を弱めることなく支持出来るベースを利用した二重床を提供することを目的とする。
【０００６】
【課題を解決するための手段】
上記課題を解決するために、本発明の二重床は、ほぼ一定高さの複数の支持体を連接してベースを構成するとともに、該ベース上に床面を構成するパネルを載置して、前記ベースと前記パネルとの間を配線用空間とした二重床において、
前記パネルは方形に形成されているとともに、いずれか一方の対角線上に沿ってスリット孔が形成され、前記対角線を中心に屈曲可能になっており、前記支持体は、常時前記パネル裏面の四隅を支持する第１支持体と、該第１支持体間に設けられ、前記パネルの中央部及び周辺部を支持する複数の第２支持体とから構成され、この第２支持体の高さが、予め前記第１支持体の高さよりもわずかに低く形成されていることを特徴としている。
この特徴によれば、通常時においてパネルは、周辺部の第１支持体のみで、その裏面四隅が支持されるため、多点支持によって生じるがたつきが発生しない。また、パネルに上方から所定以上の荷重が加わった場合は、下方に湾曲したパネル裏面が複数の第２支持体により支持されるため、パネルが薄くても支持強度が低下することがないばかりか、パネルの中央部に荷重が加わった場合は、パネルが対角線上に沿って形成されたスリット孔を中心に屈曲され、左右側に区画されたそれぞれのパネルの三隅裏面が支持されることになるので、３点支持作用によりパネル全体のがたつきがさらに効果的に抑制される。
【０００８】
【発明の実施の形態】
以下、本発明の実施例を図面に基づいて説明すると、まず図１には本発明の実施例としての二重床の要部が示されており、この二重床は、コンクリート製の建築床Ｆ上に敷設され、建築床Ｆ上に電話線やコンピュータ等のケーブル類等の物品の収納空間Ｓを形成するベース１と、このベース１により建築床Ｆの上方に支持されて床面を形成するパネル２とから構成されている。３はパネル２上に敷設されるカーペット、４は収納空間Ｓ内に配設されたケーブルをそれぞれ示している。
【０００９】
ベース１は合成樹脂製であり、図１〜３に示されるように、所定高さを有し、適宜間隔おきに立設される複数の支持体５Ａ〜５Ｅと、これら支持体５Ａ〜５Ｅの基部６同士を連結する連結リブ７とから、平面視略正方形状に形成されている。
【００１０】
支持体５Ａはベース１の中心に立設された１／４分割円柱型支持体５ａ〜５ｄとから構成されており、互いの１／４分割円柱型支持体５ａ〜５ｄ間には、支持体の上端から基部６の上面まで延びる溝部８が十字状に形成されている。さらにこれら１／４分割円柱型支持体５ａ〜５ｄの中心側が切り欠かれ、その中心には横断面円形の凹部９が形成されているとともに、基部６の中心位置には円形の穴部１０が形成され、ベース１の上方より建築床Ｆの上面が穴部１０内に露呈されるようになっている。また、１／４分割円柱型支持体５ａ、５ｂ間、及び１／４分割円柱型支持体５ｃ、５ｄ間には後述するリブ１１が形成されている。
【００１１】
支持体５Ａの周囲には、円柱型の支持体５Ｂ及び支持体５Ｃとが立設されており、特に支持体５Ｃの上部には、支持体５Ａに十字状に設けられた溝部８の長手方向の延長線に沿うように凹溝１２が設けられている。ベース１の四隅には略１／４分割円柱型の支持体５Ｄが、さらにベース１の側辺部における支持体５Ｄ、５Ｄ間には略１／２分割円柱型の支持体５Ｅ、及び１／４分割円柱型支持体５ｆ、５ｇとから構成される支持体５Ｆとがそれぞれ立設されている。また、これら１／４分割円柱型支持体５ｆ、５ｇ間には、溝部８の長手方向の延長線に沿うように溝部１３が形成されているとともに、リブ１１と同形状のリブ１４が形成されている。なお、図２中ベース１の下辺、右側辺の支持体５Ｅ、５Ｆは上辺、左側辺の支持体５Ｅ、５Ｆと同一のため、符号の記載は省略する。
【００１２】
これら支持体５Ａ〜５Ｆは上方から荷重が加わってもほとんど変形しない剛性を有しているとともに、基部６及び連結リブ７は、各支持体５Ａ〜５Ｅが建築床Ｆの不陸に対応して接地される程度の可撓性を有している。
【００１３】
このベース１は一辺が約５０ｃｍ程度の大きさに形成されており、これら複数のベース１を建築床Ｆ上に敷設する場合、それぞれの側辺部にそれぞれ形成された係合凹部１５及び係合凸部１６を、隣接する他のベース１の係合凹部１５及び係合凸部１６に係合することで互いに連設出来るようになっている。
【００１４】
図２において斜線で示される箇所は、ベース１を建築床面Ｆに固設するための接着部１７である。この接着部１７は、特に図３に示されるように上方にわずかに起伏形成（高さ約２〜３ｍｍ程度）されており、基部６もしくは連結リブ７の裏面に適宜接着剤を収容可能な凹部１８が形成されている。よってベース１を固設する際にこのような凹部１８内に接着剤を塗布しておくことで、ベース１と建築床Ｆとの間に接着層が形成されてもベース１の高さが変化することがないばかりか、接着剤が基部６及び連結リブ７の側方にはみ出して、支持体５Ａ〜５Ｆ間に配設されるケーブル４等へ付着すること等を防止出来る。
【００１５】
このように構成されたベース１を建築床Ｆ上に敷設することで、スチール製のパネル２を図３中２点鎖線で示されるように建築床Ｆの上方に支持することが出来、これらパネル２と建築床Ｆとの間にケーブル４等の収納空間Ｓが形成される。これら支持体５Ａ〜５Ｆの高さはそれぞれ約５０ｍｍ程度に形成されているため、高さ約５０ｍｍ弱の高さの収納空間Ｓが構成されることになるが、予め種々の高さに設定された支持体５を有するベース１を用意しておくことで、現場に応じた大きさの収納空間Ｓを形成することが出来る。
【００１６】
ここで、本実施例における各支持体５Ａ〜５Ｆについて詳細に説明すると、ベース１における第２支持体としての支持体５Ｂ、５Ｃ、５Ｅの高さは、図３、図５（ａ）、（ｂ）に示されるように、第１支持体としての支持体５Ａ（５ａ〜５ｄ）、５Ｆ（５ｇ、５ｆ）、５Ｄの高さに比べて隙間Ｌ３（約０．５ｍｍ程度〈図５（ａ）参照〉）分わずかに低く形成されているので、パネル２に上方から荷重が加わらない状態においてパネル２の裏面２ｂは支持体５Ｂ、５Ｃ、５Ｅに支持されることなく、支持体５Ａ（５ａ〜５ｄ）、５Ｆ（５ｇ、５ｆ）、５Ｄの上端面のみで四隅が下方から支持されるようになっている。
【００１７】
また、支持体５Ａ〜５Ｆは、図３に示されるようにそれぞれ内部が中空状に形成されているとともに、上部内径Ｌ１が下部内径Ｌ２よりも小さくなるように、すなわち上方に行くに従い外形寸法が小さくなるテーパ状に形成されているため、ベース１を同方向に上下に積み重ねる場合、下方のベース１の支持体５Ａ〜５Ｆの上部が上方のベース１の支持体５Ａ〜５Ｆの下部開口内に嵌合されるようになっている（図示略）。よって複数のベース１を上下方向にコンパクトに積み重ねることが出来、また積み重ねの際に嵩張ることがないので、効率よく運搬及び保管することが可能である。
【００１８】
さらに、下方の支持体５Ａ〜５Ｆのリブ１１、１４の上端に、上方のリブ１１、１４の下端に位置する基部６の下面が当接され、下方の支持体５Ａ〜５Ｆの上部の上方の支持体５Ａ〜５Ｆの下部開口内への進入深さが規制されるので、上方と下方の支持体５Ａ〜５Ｆ同士がきつく嵌合されて隔離しにくくなるといったことがない。なお、このようにリブ１１、１４が溝部８、１３、もしくは凹溝１２内に形成されていることにより、リブ１１、１４が配線の邪魔になることがない。
【００１９】
パネル２は、図３に示すようにそれぞれの側辺部より下方に屈曲形成された垂板２ａが溝部８、１３及び凹溝１２内に嵌合されるとともに、ベース１同士が連設されたときに互いに対向する支持体５Ｄ、５Ｅ、５Ｆの外側間に形成される溝部（図示略）に嵌合され、１つのベース１上に４枚のパネル２を敷設することが出来るようになっている。また、パネル２の一対角線上には、パネル２を平面視でそれぞれ左右側の右パネル２０１と左パネル２０２とに区画する複数のスリット孔１９（図１、４参照）が形成されており、このスリット孔１９を中心にパネル２が屈曲可能になっている。
【００２０】
さらに、図１、４に示されるように垂板２ａの所定箇所には切欠部２０が形成されており、パネル２同士が連設された場合に互いに対向する切欠部２０によりケーブル４等の挿通用の穴部が形成されるので、ケーブル４等をパネル２、２間から容易に引き出すことが出来る。
【００２１】
このように構成されたベース１の支持部材５Ａ〜５Ｆに支持されたパネル２の作用を図面に基づいて説明していくと、通常時において各ベース１上に載置されたパネル２は、裏面２ｂの四隅が図４中斜線で示される支持体５ｃ、５ｆ、５Ｄにより支持されている。この時、他の支持体５Ｂ、５Ｃ、５Ｅの上端面と裏面２ｂとの間には、図５（ａ）に示されるように隙間Ｌ３が形成されている。
【００２２】
そしてパネル２の中央部、及びその近傍に上方から所定以上の荷重が加わると、図５（ｂ）に示されるようにパネル２がスリット孔１９を中心に屈曲され、パネル２の中央部裏面２ｂが支持体５Ｂの上端面に当接されるので、荷重は主に支持体５Ｂにより支持される。
【００２３】
また、パネル２の端辺部近傍は、垂板２ａが下方に屈曲形成されていることから、パネル２の中央部よりも上方からの荷重に対する剛性が高くなっているが、パネル２の各端辺部の中央部、及びその近傍に上方から所定以上の荷重が加わった場合、各端辺部の中央部が下方にわずかに湾曲され、パネル２の裏面２ｂが支持体５Ｃ、５Ｅの上端面に当接されるので、荷重は主に各支持体５Ｃ、５Ｅにより支持される。
【００２４】
さらに、本実施例におけるパネル２は、スリット孔１９を中心に屈曲可能に形成され、このスリット孔１９により区画された三角形状の右パネル２０１及び左パネル２０２の三隅裏面２ｂが支持体５ｃ、５ｆ、５Ｄにより支持されるため、パネル２の局所に上方からの荷重が偏って加わった場合においても、３点支持作用によりパネル２ががたつきにくくなっている。
【００２５】
このように本発明のパネル２にあっては、主に周辺部の裏面を支持する支持体５ｃ、５ｆ、５Ｄ以外の支持体５Ｂ、５Ｃ、５Ｅが、支持体５ｃ、５ｆ、５Ｄよりも予め背が低く形成されているので、例えばベース１が不陸な建築床Ｆ上に敷設された場合においても、パネル２の裏面が多点で支持されることにより生じるパネル２のがたつきが抑制される。
【００２６】
また、パネル２に所定以上の荷重が加わっても、下方にわずかに湾曲されたパネル２の裏面２ｂが、支持体５ｃ、５ｆ、５Ｄより背の低い複数の支持体５Ｂ、５Ｃ、５Ｅの上端面に当接して支持されるため、パネル２の支持強度が低下することがない。よってパネル２を肉薄に形成出来、運搬等が容易になる。
【００２７】
以上、本発明の実施例を図面により説明してきたが、具体的な構成はこれら実施例に限られるものではなく、本発明の要旨を逸脱しない範囲における変更や追加があっても本発明に含まれる。
【００３０】
【発明の効果】
本発明は以下の効果を奏する。
【００３１】
（ａ）請求項１項の発明によれば、通常時においてパネルは、周辺部の第１支持体のみで、その裏面四隅が支持されるため、多点支持によって生じるがたつきが発生しない。また、パネルに上方から所定以上の荷重が加わった場合は、下方に湾曲したパネル裏面が複数の第２支持体により支持されるため、パネルが薄くても支持強度が低下することがないばかりか、パネルの中央部に荷重が加わった場合は、パネルが対角線上に沿って形成されたスリット孔を中心に屈曲され、左右側に区画されたそれぞれのパネルの三隅裏面が支持されることになるので、３点支持作用によりパネル全体のがたつきがさらに効果的に抑制される。
【００３３】
【図面の簡単な説明】
【図１】本発明の適用された二重床の構造を示す一部破断斜視図である。
【図２】ベースの平面図である。
【図３】図２のＩ−Ｉ断面図である。
【図４】パネルのベース上における載置状態を示す断面図である。
【図５】（ａ）は図４のＩＩ−ＩＩ断面図であり、（ｂ）は（ａ）の作用を示す断面図である。
【符号の説明】
１            ベース
２            パネル
２ａ          垂板
２ｂ          下面
２０１        右パネル
２０２        左パネル
３            カーペット
４            ケーブル
５Ａ、５Ｄ、５Ｆ  支持体（第１支持体）
５Ｂ、５Ｃ、５Ｅ  支持体（第２支持体）
５ａ〜５ｄ    １／４分割円柱型支持体
５ｅ、５ｆ    １／２分割円柱型支持体
６            基部
７            連結リブ
８、１３      溝部
９            凹部
１０            穴部
１１、１４、２１リブ
１２            凹溝
１５            係合凹部
１６            係合凸部
１７            接着部
１８            凹部
１９            スリット孔
２０            切欠部
Ｆ              建築床
Ｓ              収納空間
【図１】
0003626604.tif 000002
【図２】
0003626604.tif 000003
【図３】
0003626604.tif 000004
【図４】
0003626604.tif 000005
【図５】
0003626604.tif 000006